(57)【要約】【課題】  各相が閉路するタイミングにズレがあっても漏電検知に不感時間が発生することのない三相４線式漏電遮断器を提供する。【解決手段】  零相変流器４で検出した零相電流値から漏電を判断する電子制御回路６の電源、及び主電路１をトリップさせるトリップコイル８の電源を、中性相Ｎを基準とした三相の電圧相Ｒ，Ｓ，Ｔの全てから採った。主電路１の４線全に電源線１２ａ〜１２ｄを接続し、Ｒ，Ｓ，Ｔ相の電源線１２ａ〜１２ｃを整流素子Ｄ３〜Ｄ５を介して１本にした電源線１２と、中性相Ｎの電源線１２ｄの間で直流を生成して電子制御回路６に供給した。【選択図】  図１
2008084596.tif 000002
【特許請求の範囲】
【請求項１】
三相４線式電路の零相電流を検出する零相変流器と、前記電路を電源から遮断操作する遮断手段と、検出した零相電流値から漏電を判断して前記遮断手段を作動させるための電子制御回路とを備えた三相４線式漏電遮断器において、
前記電子制御回路は、中性相及び三相の電圧線の全ての相から電源の供給を受けることを特徴とする三相４線式漏電遮断器。
【請求項２】
遮断手段がトリップコイルであり、該トリップコイルの動作電源は、電子制御回路の電源と共通であって、中性相及び三相の電圧線の全ての相から電源の供給を受ける請求項１記載の三相４線式漏電遮断器。
【発明の詳細な説明】
【技術分野】
【０００１】
本発明は、三相４線式電路において漏電が発生したら電路を遮断する三相４線式漏電遮断器に関する。
【背景技術】
【０００２】
漏電遮断器は、電路の零相電流を検出する零相変流器と、検出した零相電流値から漏電を判断する電子制御回路とを備え、三相４線式電路に設置される三相４線式漏電遮断器の場合も同様に構成されている。そして、この場合、上記電子制御回路は遮断対象の電路から電源の供給を受けるが、三相４線式漏電遮断器の場合、電圧線は３本存在するため、通常そのうちの２本の電圧線から電源の供給を受けていた。
しかし、電源として使用している相のどちらかが断線した場合、他の２本の電圧線において漏電が発生する危険があるが、電子制御回路は動作しなくなる。そのため、断線が発生しても漏電を検知でき遮断動作するよう電子制御回路の電源を３本の電圧線から採るようにした三相漏電遮断器がある（例えば、特許文献１参照）。
【特許文献１】特開２００５−２１６８２９号公報
【発明の開示】
【発明が解決しようとする課題】
【０００３】
上記特許文献１のように構成することで、三相（Ｒ相、Ｓ相、Ｔ相）のうちの一相が断線しても、漏電を検知して遮断動作を実施できる。しかしながら、遮断器を閉路操作した瞬間の遮断動作速度（遮断動作時間）を見た場合、三相４線式の漏電遮断器は、閉路操作する時はＮ相が先に閉路し、トリップする時はＮ相が最後に開路するように構成され、全ての接点が同時に閉路或いは開路することはない。
このような三相４線式漏電遮断器の場合、Ｎ相が閉路した後に全ての電圧相が確実に同時に閉路すれば、漏電経路が存在する電路において、漏電の発生と同時に電子制御回路は制御動作して漏電を検知して電路の遮断信号を発することができる。
【０００４】
ところが、そのような接点構造を設けることは難しく、実際には僅かながら時間差が発生する。例えば、中性相（Ｎ相）→Ｒ相→Ｓ相→Ｔ相の順に接点が閉路したとすると、Ｎ相→Ｒ相まで閉路した時点で漏電が発生する可能性があるが、電圧相は１相しか接続されていないため漏電発生を判断する電子制御回路にはまだ電源が供給されていない。従って、この時点で漏電を検出することができない。その後、Ｓ相まで閉路してから電子制御回路は漏電検出動作し、接点の引き外し動作が行われる。
このように、三相４線式電路に使用する漏電遮断器の場合、全ての接点は同時に閉路するよう構成されていないため、投入と同時に漏電が発生する電路の場合、瞬時に漏電を検出できない場合、即ち僅かであるが不感時間が発生する場合があった。
【０００５】
そこで、本発明はこのような問題点に鑑み、各相が閉路するタイミングにズレがあっても漏電検知に不感時間が発生することのない三相４線式漏電遮断器を提供することを目的とする。
【課題を解決するための手段】
【０００６】
上記課題を解決する為に、請求項１の発明は、三相４線式電路の零相電流を検出する零相変流器と、前記電路を電源から遮断操作する遮断手段と、検出した零相電流値から漏電を判断して前記遮断手段を作動させるための電子制御回路とを備えた三相４線式漏電遮断器において、前記電子制御回路は、中性相及び三相の電圧線の全ての相から電源の供給を受けることを特徴とする。
この構成により、遮断器を閉路操作する際、接点が閉路する順番や時間差により電子制御回路が動作しない不感時間が発生することがなく、電源投入時であっても漏電の発生を遅滞なく検知できる。また、欠相が発生しても、漏電が発生したら確実に遮断動作する。
【０００７】
請求項２の発明は、請求項１に記載の発明において、遮断手段がトリップコイルであり、該トリップコイルの動作電源は、電子制御回路の電源と共通であって、中性相及び三相の電圧線の全ての相から電源の供給を受けることを特徴とする。
この構成により、電源投入時であても電子制御回路の漏電検知動作に合わせて遮断動作することが可能となる。
【発明の効果】
【０００８】
本発明によれば、電路を閉路するために遮断器の投入操作をする際、接点の閉路する順番や時間差により遮断器内部の電子制御回路が動作しない不感時間が発生することがなく、閉路操作時であっても漏電の発生を遅滞なく検知して遮断できる。
【発明を実施するための最良の形態】
【０００９】
以下、本発明を具体化した実施の形態を、図面に基づいて詳細に説明する。図１は本発明に係る三相４線式漏電遮断器の一例を示す回路図であり、１はＲ，Ｓ，Ｔの三相及び中性相Ｎの４本から成る主電路、２は電源側接続端子、３は負荷側接続端子、４は主電路１の零相電流を検出する零相変流器、５は漏電を判断するＩＣ化された電子制御回路６を搭載した遮断器制御部、７は開閉接点、８は開閉接点７を開操作（遮断操作）するトリップコイル、９は電子制御回路をテストするテストスイッチである。
【００１０】
零相変流器４は、主電路１を構成する４本の導線とテスト回路１０を構成する１本の導線を挿通して配置され、主電路１の零相電流を検出して検出した零相電流が電圧情報に変換されて電子制御回路６に入力される。尚、Ｄ１，Ｄ２は回路を保護する保護素子であり、テストスイッチ９を有するテスト回路１０は零相変流器４を介してＲ相とＮ相の間に配設されている。
【００１１】
Ｒ，Ｓ，Ｔ相及び中性相Ｎの全ての相に電源線１２ａ〜１２ｄが接続され、電子制御回路６に配設されている。各電圧線に接続された電源線１２ａ〜１２ｃには、夫々整流素子Ｄ３〜Ｄ５が設けられてスター結線されて１本の電源線１２を形成し、中性相Ｎを基準とした直流電圧が生成されて、３段の定電流ダイオードＤ６〜Ｄ８を介して電子制御回路６に供給される。
尚、Ｚ１〜Ｚ３はバリスタであり、雷サージ等から回路を保護するためにＲ，Ｓ，Ｔ相に接続された各電源線１２ａ〜１２ｃと中性相Ｎに接続された電源線１２ｄの間に設けられている。また、定電流ダイオードＤ６〜Ｄ８は電子制御回路６に定電流を供給するために設けられている。
【００１２】
一方、この電源線１２ａ〜１２ｄはトリップコイル８の電源線でもあり、サイリスタ１３がオンすると、トリップ電流がトリップコイル８を介して、Ｒ，Ｓ，Ｔの電圧相に接続された電源線１２ａ〜１２ｃと中性相Ｎに接続された電源線１２ｄの間で流れる。但し、このときトリップコイル８に流れる電流値は定電流ダイオードＤ６〜Ｄ８により規制されるが、コンデンサＣ１の放電電流が流れることでトリップ動作する。その結果、開閉接点７が遮断動作し、主電路１は電源から遮断される。
【００１３】
このように構成された遮断器の電源投入時の動作は具体的に次のようになる。開閉接点７を閉路操作して電源投入した場合、最初に中性相Ｎが閉路し、続いて電圧相Ｒ，Ｓ，Ｔが任意の順に閉路する。
このとき、主電路１のＲ相に漏電経路があると仮定する。まず中性相Ｎが閉路し、その後例えば三相のうちＲ相が先に閉路したとすると、Ｒ相に漏電経路があるため、この時点で漏電が発生することになる。ところが、Ｒ相が通電された時点で電子制御回路６に電源が供給されるし、トリップコイル８にも同時に電源は供給される。従って、漏電が発生したらそれを瞬時に検知して遮断動作が行われる。
また、Ｓ相或いはＴ相が中性相Ｎの次に閉路したとすると、この何れの場合もＲ相が閉路しない以上漏電は発生しない。その後、Ｒ相が閉路することで漏電が発生することになるが、Ｓ相或いはＴ相の早いほうが閉路した時点で電子制御回路６、及びトリップコイル８は電源が供給されるので、遅滞なく遮断動作することができる。
【００１４】
このように、遮断器を閉路操作する際、接点が閉路する順番や時間差により電子制御回路が動作しない不感時間が発生することがなく、電源投入時であっても漏電の発生を遅滞なく検知できる。また、欠相が発生しても、残りの電圧相から電源が供給されるので、漏電が発生したら確実に遮断動作する。
更に、トリップコイルにも電子制御回路と同時に電源が供給されるので、電源投入時であても漏電検知を受けて瞬時に遮断動作する。
【００１５】
尚、上記実施形態では、電子制御回路６の電源回路とトリップコイル８の通電経路とが共通の回路となっているが、独立した電路とすることができる。
【図面の簡単な説明】
【００１６】
【図１】本発明に係る三相４線式漏電遮断器の実施形態の一例を示す回路図である。
【符号の説明】
【００１７】
１・・主電路、４・・零相変流器、６・・電子制御回路、７・・開閉接点、８・・トリップコイル、１２，１２ａ〜１２ｄ・・電源線。
【図１】
2008084596.tif 000003